(57)【要約】【課題】  外部接続端子周りの構造において、部品点数を削減してコストダウンを図る。【解決手段】  磁気駆動型アクチュエータ１の筐体であるサブパネル３は、外筒部３ａと内筒部３ｂの間を上端において接続した形状を成している。サブパネル３の上面の一辺は外筒部３ａから延出して延出部３ｅとなっている。波形にくびれた略逆Ｕ字形断面を有する環状のダンパー７の両下端は直角に外側へ曲げられている。ヨーク８、磁石９及びトッププレート１０とで磁気回路部１１を構成している。ダンパー７の外側面はサブパネル３の内筒部３ｂに、内端は磁気回路部１１に接着剤１２で接合してある。延出部３ｅに埋設されたリードフレーム１３上にはユーザー端子１３ａと、コイル端末５ａを直接半田付けする配線パターン１３ｂとが形成されている。コイル５から半田付部１４までのコイル端末５ａを保護コート１５が覆っている。【選択図】      図２
2006157752.tif 000002
【特許請求の範囲】
【請求項１】
磁気駆動型アクチュエータの筐体であるサブパネルにボイスコイルとダンパーの一端とを固定するとともに、ダンパーの他端をヨークとこのヨーク上に固定された磁石とこの磁石上に固定されたトッププレートとから成る磁気回路部に固定して成る磁気駆動型アクチュエータにおいて、前記サブパネルは外筒部と内筒部との間を上端において接続した形状をしており、前記ダンパーは略逆Ｕ字形の断面を有する環状に形成されており、前記ダンパーの外側面が前記内筒部の中に接合されていることを特徴とする磁気駆動型アクチュエータ。
【請求項２】
前記サブパネルの上面の一部が前記外筒部から外側へ延出した延出部にリードフレームを埋設し、このリードフレームに前記コイルのコイル端末を直接接続したことを特徴とする請求項１記載の磁気駆動型アクチュエータ。
【請求項３】
前記リードフレームの一部はユーザー端子として前記延出部の上下両面に露出していることを特徴とする請求項１又は請求項２記載の磁気駆動型アクチュエータ。
【発明の詳細な説明】
【技術分野】
【０００１】
本発明は、携帯電話等の移動体通信機器に組み込まれ、パネルを振動させることにより着信音や振動により着信を知らせ、また、音声などの受信音の再生を目的とする磁気駆動型アクチュエータに関する。
【背景技術】
【０００２】
従来、携帯電話やＰＤＡ等の移動体通信機器などの各種電子装置の振動板であるパネルに組み込まれ、音声を出力するタイプの平面スピーカを構成する磁気駆動型アクチュエータが知られている（例えば、特許文献１参照。）。
【０００３】
従来のこの種の磁気駆動型アクチュエータの一例について図面を用いて説明する。図５は従来の磁気駆動型アクチュエータの平面図、図６は図５のＣ−Ｃ矢視断面を示す断面図、図７はこの磁気駆動型アクチュエータの底面図、図８は図５のＤ−Ｄ矢視断面を示す断面図である。
【０００４】
まず、この磁気駆動型アクチュエータの構成を説明する。図５から図８において、５１は磁気駆動型アクチュエータであり、５３は樹脂成形品から成る磁気駆動型アクチュエータ５１の筐体であるサブパネルであり、外筒部５３ａの上端に上部開口５３ｂを有する上面を接続した形状を成しており、下端には下部開口５３ｃを有している。また、上面には後述するパネルとダンパー間に密閉された空気圧がダンパーの振動を抑制しないように外部へ通じる空気逃がし開口部となる５カ所の凹部５３ｄが形成されている。
【０００５】
４はサブパネル５３下部開口５３ｃを覆って固定された背面メッシュである。５はエナメル被覆銅線であるコイル巻き線を矩形断面を有する環状に巻回した空芯ボイスコイルである。５６は紙管又は樹脂管からなる筒形のフォーマーであり、フォーマー５６の上部はサブパネル５３の上面に固定されている。コイル５はフォーマー５６の外周に沿って固定されている。５７は波形にくびれた略逆Ｌ字形断面を有する環状のダンパーであり、上端はフォーマー５６の上端内面及びサブパネル５３の上面裏側に接合され、下端は内側に略直角に曲げられている。
【０００６】
５８は磁性体から成る皿状のヨークであり、側面の一部は外側へ延出してサブパネル５３の外筒部５３ａの窓穴を貫いていて延出部５８ａとなっている。９は永久磁石であり、ヨーク５８の中央に固定されている。１０は中央に貫通穴１０ａを有する枠状の磁性体から成るトッププレートである。ヨーク５８、磁石９及びトッププレート１０とで磁気回路部６１を構成している。１２はダンパー５７の下端をトッププレート１０の貫通穴１０ａを経て磁石９面に接合している接着剤である。
【０００７】
６３はコイル５近傍でコイル端末５ａと接続されている錦糸線であり、接続部はフォーマー５６に固定されている。６４はヨーク５８の延出部５８ａに固定されている回路基板であり、回路基板６４上には一対の外部接続端子であるユーザー端子６４ａと、外筒部５３ａの窓穴を通る錦糸線６３の端部を半田付けする一対の配線パターン６４ｂとが配設されており、端子６４ａと６４ｂとは導通している。前記窓穴は錦糸線６３を半田付け後に樹脂等で塞がれる。トッププレート１０の側面とヨーク５８上端との隙間である磁気ギャップｇ内にフォーマー５６とともにコイル５が位置している。
【０００８】
次に、磁気駆動型アクチュエータ５１を携帯機器等に搭載する方法を説明する。図６において、２０は磁気駆動型アクチュエータ５１を貼着した携帯機器の振動板としてのパネルであり、例えばアクリル樹脂から成り携帯電話等の液晶画面前に配設されている。２１はサブパネル５３の上面とパネル２０下面とを貼着している両面粘着テープである。磁気駆動型アクチュエータ５１を携帯機器等へ搭載するときには、ユーザー端子６４ａにおいて客先基板側への半田付け等の処理を行う。
【０００９】
次に、この磁気駆動型アクチュエータ５１の作用を説明する。コイル５に入力される駆動信号の周波数により、コイル５に発生する起磁力と磁石９の磁力との相互干渉作用により、コイル５と磁気回路部６１との相対変位が起きてダンパー５７が振動する。磁気回路部６１はダンパー５７によりサブパネル５３に弾性支持されているので、磁気回路部６１の振動がサブパネル５３を介してパネル２０に伝わり、又一方で磁気回路の磁気ギャップｇによって反発したコイル５の駆動力もパネル２０に伝わり、磁気駆動型アクチュエータ５１を取り付けた携帯機器等のパネル２０が共振して音響特性を有するようになる。
【特許文献１】特開２００３−１４３６９０号公報（図１、第３頁）
【発明の開示】
【発明が解決しようとする課題】
【００１０】
しかしながら、磁気回路部６１は共振点で激しく振動するため、ここにボイスコイル５のコイル端末５ａのような径の小さな金属線を這わせると断線を引き起こす可能性がある。このため、コイル端末５ａをボイスコイル５近くで錦糸線６３に半田付け等により接続し、この半田付部をフォーマー５６に接着等で固定している。そして、この固定部位から回路基板６４側の半田付部６５まで錦糸線６３を各極性（２本）ごとに引き回して半田付けする。このため、部品費並びに工数の増大があり、さらに磁気回路部６１側の半田付部付近のスペースが狭くてフォーマー５６への接着作業が困難であった。
【００１１】
本発明はこのような従来の問題を解決するためになされたものであり、その目的は、外部接続端子周りの構造において、部品点数を削減してコストダウンを図った磁気駆動型アクチュエータを提供することである。
【課題を解決するための手段】
【００１２】
前述した目的を達成するための本発明の手段は、磁気駆動型アクチュエータの筐体であるサブパネルにボイスコイルとダンパーの一端とを固定するとともに、ダンパーの他端をヨークとこのヨーク上に固定された磁石とこの磁石上に固定されたトッププレートとから成る磁気回路部に固定して成る磁気駆動型アクチュエータにおいて、前記サブパネルは外筒部と内筒部との間を上端において接続した形状をしており、前記ダンパーは略逆Ｕ字形の断面を有する環状に形成されており、前記ダンパーの外側面が前記内筒部の中に接合されていることを特徴とする。
【００１３】
また、前記サブパネルの上面の一部が前記外筒部から外側へ延出した延出部にリードフレームを埋設し、このリードフレームに前記コイルのコイル端末を直接接続したことを特徴とする。
【００１４】
また、前記リードフレームの一部はユーザー端子として前記延出部の上下両面に露出していることを特徴とする。
【発明の効果】
【００１５】
本発明によれば、磁気駆動型アクチュエータの筐体であるサブパネルにボイスコイルとダンパーの一端とを固定するとともに、ダンパーの他端をヨークとこのヨーク上に固定された磁石とこの磁石上に固定されたトッププレートとから成る磁気回路部に固定して成る磁気駆動型アクチュエータにおいて、前記サブパネルは外筒部と内筒部との間を上端において接続した形状をしており、前記ダンパーは略逆Ｕ字形の断面を有する環状に形成されており、前記ダンパーの外側面が前記内筒部の中に接合されているという構成にしたので、部品点数の削減、コストダウン、作業の簡略化、工数の削減を達成することができ、更にサブパネル側に半田付けすることによる品質の安定化、端子部下のスペースの有効活用、実機への組み込み性が向上した磁気駆動型アクチュエータを得ることができた。
【発明を実施するための最良の形態】
【００１６】
以下、本発明の実施の形態を図面に基づいて詳細に説明する。図１は本発明の最良の実施形態である磁気駆動型アクチュエータの平面図、図２は図１のＡ−Ａ矢視断面を示す断面図である。図３はこの磁気駆動型アクチュエータの底面図、図４は図３のＢ−Ｂ矢視断面図である。
【００１７】
まず、この磁気駆動型アクチュエータの構成を説明する。図１から図４において、１は磁気駆動型アクチュエータであり、３は樹脂成形品から成る磁気駆動型アクチュエータ１の筐体であるサブパネルであり、外筒部３ａと内筒部３ｂとの間を上端において接続した形状を成しており、上面は内筒部３ｂから内側へ張り出して上部開口３ｃをもっている。また、上面には空気逃がし部として５カ所の凹部３ｄが形成されている。サブパネル３の上面の一辺は外筒部３ａから延出して延出部３ｅとなっている。
【００１８】
７は波形にくびれた略逆Ｕ字形断面を有する環状のダンパーであり、両下端は直角に外側へ曲げられている。８は磁性体から成る皿状のヨークである。１１はヨーク８、磁石９及びトッププレート１０とで構成されている磁気回路部である。
【００１９】
１３はサブパネル３の延出部３ｅにインサート成形されているリードフレームであり、リードフレーム１３上にはユーザー端子１３ａと、コイル端末５ａを直接半田付けする配線パターン１３ｂとが形成されている。１４はその半田付部である。１５はコイル５から半田付部１４までのコイル端末５ａを覆っている保護コートである。なお、ここではリードフレーム１３を埋設した延出部３ｅの代わりに回路基板を配設する構成にしてもよい。
【００２０】
その他の構成は従来の磁気駆動型アクチュエータ５１と同様なので同じ構成要素には同じ符号と名称とを付して詳細な説明を省略する。また、この磁気駆動型アクチュエータ１の作用も磁気駆動型アクチュエータ５１のものと同様である。
【００２１】
次に、本発明の実施の形態の効果について説明する。サブパネル３側の振動量は磁気回路部１１側に比べて小さいために、コイル端末５ａの配線は品質的に安定する。また、サブパネル３側へコイル端末５を這わせ、コイル端末５ａを保護コート１５で被覆することにより、錦糸線を使用する必要がない。このため、コイル端末５ａと錦糸線との半田付け作業と、この半田付部をフォーマーなどに接着する作業が不要になる。また、ダンパー７の外側面にコイル５を配設したので従来のフォーマーが不要になった。これらによって、部品費と工数削減によるコストダウン効果がある。また、ユーザー端子１３ａを延出部３ｅの上下両面に露出させたので、磁気駆動型アクチュエータ１を搭載する機器の基板への接続に好都合であり、延出部３ｅの下面側のスペースがリード線の引き回しや配置などで有効に活用できる効果がある。
【産業上の利用可能性】
【００２２】
本発明の磁気駆動型アクチュエータを用いた平面スピーカは、携帯電話やＰＤＡ等の移動体通信機器及びゲーム機器等に広く適用できる。
【図面の簡単な説明】
【００２３】
【図１】本発明の実施の形態である磁気駆動型アクチュエータの平面図である。
【図２】図１のＡ−Ａ矢視断面を示す断面図である。
【図３】本発明の実施の形態である磁気駆動型アクチュエータの底面図である。
【図４】図１のＢ−Ｂ矢視断面を示す断面図である。
【図５】従来の磁気駆動型アクチュエータの平面図である。
【図６】図５のＣ−Ｃ矢視断面を示す断面図である。
【図７】従来の磁気駆動型アクチュエータの底面図である。
【図８】図５のＤ−Ｄ矢視断面を示す断面図である。
【符号の説明】
【００２４】
１  磁気駆動型アクチュエータ
３  サブパネル
３ａ  外筒部
３ｂ  内筒部
３ｅ  延出部
５  コイル
５ａ  コイル端末
７  ダンパー
８  ヨーク
９  磁石
１０  トッププレート
１１  磁気回路部
１３  リードフレーム
１３ａ  ユーザー端子
【図１】
2006157752.tif 000003
【図２】
2006157752.tif 000004
【図３】
2006157752.tif 000005
【図４】
2006157752.tif 000006
【図５】
2006157752.tif 000007
【図６】
2006157752.tif 000008
【図７】
2006157752.tif 000009
【図８】
2006157752.tif 000010